(57)【要約】【課題】早期にかつ正確に目標航跡を確立させる多目標追尾装置を得る。【解決手段】サンプリング時刻毎の観測値数の履歴から目標数の仮説を立て、仮説の信頼度を計算することにより目標数を推定する目標数推定部３と、当該信頼度により目標数を決定する目標数確定判定部４と、決定された目標数に応じて多目標相関決定追尾処理部７の仮航跡の候補を抽出し、当該候補の最新の平滑値の尤度を過去数サンプリング時刻分の観測値に対して計算し、最も尤度が大きい仮航跡を選択して航跡を確立する航跡確立再判定部５とを備え、多目標相関決定追尾処理と並行して目標数推定を行って、分離目標の存在が確認されたら、多目標相関決定追尾処理で生成された仮航跡群から最も確度の高い航跡を抽出して確立させることによって、早期にかつ正確に目標航跡を確立させる。【選択図】図１
2011145096.tif 000002
【特許請求の範囲】
【請求項１】
目標を観測するセンサから得られた観測値を使って目標を追尾するための多目標追尾装置であって、
目標と観測値の対応を決定し、目標に対応付けられた観測値を用いて目標の運動諸元を推定して、仮航跡を生成する多目標相関決定追尾処理部と、
上記多目標相関決定追尾処理部によって得られた仮航跡のうち、確度の高い航跡を抽出することにより、未知の目標の航跡を確立する航跡確立判定部と、
センサから得られたサンプリング時刻毎の観測値の数の履歴から目標数に関する仮説を立て、その信頼度を計算することによって観測領域に存在する目標の数を推定する目標数推定部と、
上記目標数推定部によって計算された目標数に関する仮説の信頼度によって、観測領域における目標数を決定する目標数確定判定部と、
上記目標数確定判定部によって目標数が決定されたときに、その数に応じて上記多目標相関決定追尾処理部の仮航跡の候補を抽出し、抽出された候補の最新の平滑値の尤度を過去数サンプリング時刻分の観測値に対して計算し、最も尤度が大きい仮航跡を選択して航跡を確立する航跡確立再判定部と、
上記多目標相関決定追尾処理部が生成した仮航跡のうちの既存の確立航跡と、上記航跡確立判定部または上記航跡確立再判定部によって新たに確立した航跡の予測位置とに、上記センサを向ける様に、上記センサに対して指示を行うセンサ指示部と
を備えたことを特徴とする多目標追尾装置。
【請求項２】
上記目標数推定部が目標数に関する仮説の信頼度の計算において必要となる、目標が分離発生する確率を示すパラメータを、仮説の状況に応じて動的に変えていくことを特徴とする請求項１に記載の多目標追尾装置。
【請求項３】
目標を観測するセンサから得られた観測値を使って目標を追尾するための多目標追尾装置であって、
目標と観測値の対応を決定し、目標に対応付けられた観測値を用いて目標の運動諸元を推定して、仮航跡を生成する多目標相関決定追尾処理部と、
上記多目標相関決定追尾処理部によって得られた仮航跡のうち、確度の高い航跡を抽出することにより、未知の目標の航跡を確立する航跡確立判定部と、
センサから得られたサンプリング時刻毎の観測値の数の履歴から目標数に関する仮説を立て、その信頼度を計算することによって観測領域に存在する目標の数を推定する目標数推定部と、
上記目標数推定部によって計算された目標数に関する仮説の信頼度によって、観測領域における目標数を決定する目標数確定判定部と、
上記目標数確定判定部によって目標数が決定されたときに、その数に応じて上記多目標相関決定追尾処理部の仮航跡の候補を抽出し、抽出された候補の最新の平滑値の尤度を過去数サンプリング時刻分の観測値に対して計算し、最も尤度が大きい仮航跡を選択して航跡を確立する航跡確立再判定部と、
上記航跡確立再判定部が選択した目標航跡の最新の平滑値の尤度が低い場合は、上記多目標相関決定追尾処理部が生成した仮航跡を全て破棄し、過去数サンプリングの観測値から航跡を再構成して、再構成によって生成された航跡の中から航跡を選択することによって航跡を確立する多重サンプリング航跡再構成部と、
上記多目標相関決定追尾処理部が生成した仮航跡のうちの既存の確立航跡と、上記航跡確立判定部、上記航跡確立再判定部または上記多重サンプリング航跡再構成部によって新たに確立した航跡の予測位置とに、上記センサの観測方向を制御する様に、上記センサに対して指示を行うセンサ指示部と
を備えたことを特徴とする多目標追尾装置。
【請求項４】
目標を観測するセンサから得られた観測値を使って目標を追尾するための多目標追尾装置であって、
センサから得られたサンプリング時刻毎の観測値の数の履歴から目標数に関する仮説を立て、その信頼度を計算することによって観測領域に存在する目標の数を推定する目標数推定部と、
上記目標数推定部によって計算された目標数に関する仮説の信頼度によって、観測領域における目標数を決定する目標数確定判定部と、
目標と観測値との対応を決定し、目標に対応付けられた観測値を用いて目標の運動諸元を推定し、上記目標数確定判定部によって確定した目標数に応じてそのパラメータを変更する多目標相関決定追尾処理部と、
上記多目標相関決定追尾処理部によって得られた仮候補のうち、確度の高い航跡を抽出することにより、未知の目標の航跡を確立する航跡確立判定部と、
上記多目標相関決定追尾処理部が生成した仮航跡のうち、確立した航跡の予測位置に上記センサの観測方向を制御する様に、上記センサに対して指示を行うセンサ指示部と
を備えたことを特徴とする多目標追尾装置。
【請求項５】
目標を観測するレーダから得られた観測値を使って目標を追尾するための多目標追尾装置であって、
レーダから得られたサンプリング時刻毎の観測値の数の履歴から目標数に関する仮説を立て、その信頼度を計算することによって観測領域に存在する目標の数を推定する目標数推定部と、
上記目標数推定部によって計算された目標数に関する仮説の信頼度によって、観測領域における目標数を決定する目標数確定判定部と、
目標と観測値の対応を決定し、目標に対応付けられた観測値を用いて目標の運動諸元を推定し、上記目標数確定判定部によって確定した目標数に応じて検定ビーム照射対象となる仮航跡を決定する多目標相関決定追尾処理部と、
上記多目標相関決定追尾処理部によって得られた仮航跡のうち、確度の高い航跡を抽出することにより、未知の目標の航跡を確立する航跡確立判定部と、
上記多目標相関決定追尾処理部が生成した仮航跡のうち、確立した航跡の予測位置と検定ビームの照射対象となった航跡の予測位置に、上記レーダのビームを向ける様に、上記レーダに対して指示を行うレーダ指示部と
を備えることを特徴とする多目標追尾装置。
【請求項６】
上記多目標相関決定追尾処理部が、確定目標数に応じて仮航跡の候補を全て抽出し、検定ビームの照射位置を、抽出された仮航跡群の予測値の重心とすることを特徴とする請求項５に記載の多目標追尾装置。
【発明の詳細な説明】
【技術分野】
【０００１】
本発明は、レーダ等のセンサから得られた観測値から、複数の目標の運動諸元を推定する多目標追尾装置に関するもので、特に、既追尾目標から分離した目標の航跡の確立を早期にかつ正確に行える様に工夫した多目標追尾装置に関するものである。
【背景技術】
【０００２】
目標の位置や速度等の運動諸元を推定する目標追尾では、レーダ等のセンサから得られる観測値を、ある目標からのものか、それとも、不要信号であるかを判定する相関決定処理を行い、同一目標とされた観測値の時系列から航跡を生成し、目標の運動諸元を算出する。
【０００３】
相関判定処理では、観測値をある目標からのものと判定した場合、それが既に追尾を行っている目標のものであるのか（既存の目標が複数ある場合はそのうちのどれであるのか）、新たに発生した目標なのかを判定する。この判定には、既存目標の航跡の速度推定値から該当時刻における位置を算出した予測値を中心とする空間領域であるゲートを利用する。このゲートの大きさについては、追尾目標からの観測値がこのゲート内で観測される確率が、例えば０．９以上といった高い確率となる様設定される。このゲート内に入った観測値は既存目標からのものである可能性が高く、どのゲートにも入らなかった観測値は不用信号または新目標、すなわちそれまで未知だった目標である可能性が高いといえる。既存目標から得られたと判定された観測値については、その既存目標の航跡が持つ予測値との重み付け統合により、観測値が得られたサンプリング時刻における目標の真の位置と速度の推定値、すなわち、平滑値が算出される。
【０００４】
図１２に、航跡と観測値の相関の例を示す。現サンプリング時刻ｔ＝３で、３０，３１，３２，３３の４つの観測値が得られている。目標０の航跡（観測値００，１０，２０によって構成される航跡）のゲートには観測値３０，３１が入り、目標１の航跡（観測値００，１１，２１によって構成される航跡）のゲートには観測値３２が入る。観測値３３はどちらのゲートにも入らない。このとき、一つの可能性としては、「観測値３０：目標０、観測値３１：不要信号、観測値３２：目標１、観測値３３：新目標」というものがあるし、別の可能性として、「観測値３０：不要信号、観測値３１：目標０、観測値３２：目標１、観測値３３：不要信号」も考えられる。この様に可能性が多くある状況で、割り当てをサンプリング時刻毎に一意に決定してしまうと、それが誤りであった場合には目標の追跡に失敗する危険性が高くなる。この問題を回避するために、割り当てを仮説として複数設けて観測値と目標の相関を仮説毎に決定し、十分時間が経過した時点で最も良い仮説を残せば、より正確な相関決定が可能である。このやり方に基づいた目標追尾技術は数多く提案されており、その一例が、特許文献１に示されている。この手法では、観測値とその組み合わせである航跡、航跡の組み合わせである仮説を、互いに観測値を共有しないクラスタ毎に処理することにより、処理の効率化を図っている。
【０００５】
ここで、従来技術の手順図を図１０に、装置構成図を図９に示す。以下、この手順図および装置構成図に従って、従来技術の動作を説明する。
【０００６】
まず、ステップＳ１００の「観測値入力」で、観測値選択部１００がその時刻の観測値を、センサ１１０から読み込む。
【０００７】
次のステップＳ１０１の「ゲート内判定」で、観測値選択部１００が、ゲート算出部１０７が算出した既存航跡のゲートと観測値の相関具合を調べ、入ってきた観測値がどのクラスタに属するのか決定する。
【０００８】
これらのステップＳ１００，Ｓ１０１の処理について、以下、図１１〜１３までの図を例として説明する。あるクラスタにおいて、時刻ｔ＝０から時刻ｔ＝２までに、３サンプリングで、５つの観測値があり、図１１の様な状態であったとする。この時、航跡は観測値の組で表記して、
Ｔ１：    １０−２０
Ｔ２：    １０−２１
Ｔ３：    １１−２０
Ｔ４：    １１−２１
Ｔ５：    ２０
Ｔ６：    ２１
である。また、航跡を採択する仮説は「ＩＤ：｛航跡組｝信頼度」と表記して、
Ｈ１：｛Ｔ１、Ｔ４｝ｒｅｌ１
Ｈ２：｛Ｔ１、Ｔ６｝ｒｅｌ２
Ｈ３：｛Ｔ２、Ｔ５｝ｒｅｌ３
Ｈ４：｛Ｔ２｝ｒｅｌ４
Ｈ５：｛Ｔ５｝ｒｅｌ５
である。このとき、ステップＳ１００の「観測値入力」で、時刻ｔ＝３で、観測値３０，３１，３２，３３が入り、ステップＳ１０１の「ゲート内判定」で、３０，３１がＴ１，Ｔ３，Ｔ５の航跡のゲートに、３２がＴ２，Ｔ４のゲートに入ったとする。また、３３はどの航跡のゲートにも入らなかったとする。
【０００９】
次のステップＳ１０２の「航跡および新クラスタの作成」では、クラスタ新設統合部１０１により、ゲートと観測値の相関具合を元に、航跡が作成される。作成される航跡は以下の３つの種類がある。
（１）更新航跡：既存航跡に、ゲート内に入った観測値を追加して出来る航跡
（２）新航跡：その時刻に入った観測値を起点とする航跡
（３）メモリトラック航跡：既存航跡に対し、「該当する時刻には相関する観測値がなかった」とする航跡
【００１０】
図１３の例では、まず更新航跡として、
Ｔ１１：    １０−２０−３０
Ｔ１２：    １０−２０−３１
Ｔ２１：    １０−２１−３２
Ｔ３１：    １１−２０−３０
Ｔ３２：    １１−２０−３１
Ｔ４１：    １１−２１−３２
Ｔ５１：    ２０−３０
Ｔ５２：    ２０−３１
Ｔ６１：    ２１−３２
がある。また、新航跡としては、
Ｔ７１：    ３０
Ｔ７２：    ３１
Ｔ７３：    ３２
が生成され、メモリトラック航跡としては、
Ｔ８１：    １０−２０
Ｔ８２：    １０−２１
Ｔ８３：    １１−２０
Ｔ８４：    １１−２１
Ｔ８５：    ２０
Ｔ８６：    ２１
が作成される。
【００１１】
航跡は新航跡として生成されたばかりの段階では仮航跡であり、その後更新を続け、本航跡として認められるまで仮航跡の状態であり続ける。仮航跡は目標を追跡しているのかどうかの判断が保留されている段階の航跡であり、本航跡は目標を追跡していると判断された状態の航跡である。
【００１２】
また、本ステップＳ１０２では、どのクラスタとも相関がなかった観測値については、その観測値を起点とする新たなクラスタを生成する。図１３の例では観測値３３はどの航跡とも相関がないので、この観測値による新クラスタが生成される。
【００１３】
また、本ステップＳ１０２では、この時刻における観測値により後述する同値関係が複数のクラスタ間で発生した場合、それらのクラスタを統合する処理が行われる。
【００１４】
次のステップＳ１０３の「クラスタ毎の航跡相関行列作成」では、まず、ゲート内判定行列算出部１０２によって、各クラスタに相関した観測値に対する解釈の可能性の一覧である、ゲート内判定行列が生成される。
【００１５】
このゲート内判定行列の各行は該当時刻にクラスタと相関した観測値を示している。この例では（図１４（ａ）参照）、第１行が観測値３０、第２行が観測値３１、第３行が観測値３２に相当する。また、列に関しては、第１列は不要信号であることを示し、第２列から第７列までが既存航跡Ｔ１〜Ｔ６を示し、終わりの３列は新航跡であることを示す。全ての観測値は不要信号である可能性を持っているので、第１列の要素は全て１となる。第２列については、既存航跡Ｔ１と相関する観測値は３０，３１であるので第１，２行が１となり、第３行は０となる。第３〜第７までも同様である。終わりの３列については、３つの新航跡はそれぞれの起点にしか対応できないから、単位行列となる。
【００１６】
次に、航跡相関行列算出部１０３が、このゲート内判定行列から航跡相関行列を作る。航跡相関行列は、
・１となる要素と同一のゲート内判定行列の要素は必ず１となっている。
・各行で、１となる要素の数は１つのみ
・各列は高々１つの要素が１となる。ただし、第１列はいくつ１の要素があってもよい。
という条件を満たす全ての行列である。これは、各観測値の互いに矛盾しない解釈の組み合わせである。図１４（ａ）に本例におけるゲート内判定行列を示し、図４（ｂ）にそれより得られる航跡相関行列のいくつかの例を示す。
【００１７】
次のステップＳ１０４の「仮説の作成」では、仮説更新部１０４が既存仮説を航跡相関行列によって更新する処理を行う。各仮説の更新では、その中に含まれている航跡以外の航跡の存在を仮定している航跡相関行列を除いた全ての航跡相関行列を使用する。例えば、仮説Ｈ１ではＴ１とＴ４が参照されている。図１４（ｂ）の航跡相関行列（１）〜（５）では、（２）と（３）が航跡Ｔ２の存在を仮定しているので、仮説Ｈ１の更新には用いられない。Ｈ１を（１）によって更新すると、これはｔ＝３の観測値が全て不要信号であることを示しているので、
Ｈ１１：｛Ｔ８１、Ｔ８４｝
となる。また、Ｈ１を（４）によって更新すると、
Ｈ１２：｛Ｔ１１、Ｔ４１｝
となる。また、Ｈ１を（５）によって更新すると、
Ｈ１３：｛Ｔ８１、Ｔ７２、Ｔ４１｝
となる。この様にして、可能な仮説と航跡相関行列の組み合わせによって既存仮説を更新し、新たな仮説を生成する。
【００１８】
次のステップＳ１０５の「準最適化とクラスタ分離」において、仮説縮小部１０５が、信頼度の低い仮説の削除、及び／または、似た仮説どうしの統合によって、仮説群を縮小する準最適化処理を実行し、さらに、クラスタ分離部１０６が、それに伴うクラスタ分離の処理を実行する。準最適化には様々な手法があり、
・信頼度に閾値を設け、それに満たない信頼度を持つ仮説を全て削除する。
・仮説数の上限を設け、信頼度が高い順に、設定した個数の仮説のみを残し、その他を削除する。
・過去サンプリング時刻分の観測値の相関内容が同一の航跡を統合し、さらにその航跡の統合によって内容が同一となった仮説を統合する。
といった手法が知られている。また、クラスタ分離はクラスタ分離部１０６によって以下の様に航跡間の観測値の共有具合を検査することによって行われる。原則として観測値を共有する航跡を構成する観測値は全て同じクラスタに属していなければならない。例えば、
Ｔａ：１１−２０−３０
Ｔｂ：２１−３２
Ｔｃ：２０−３２
なる３航跡が存在する場合、ＴａとＴｃ、ＴｂとＴｃは観測値の共有があり、これらは同一クラスタを構成する。この状況で準最適化によりＴｃが削除された場合を考える。残りの２航跡は観測値を共有していないので、各々独立にクラスタを構成することができる。
【００１９】
次のステップＳ１０６の「航跡確立判定」において、航跡確立判定部１０８が、仮航跡群の中から、目標を追跡している可能性が極めて高い仮航跡を確立して本航跡に昇格させる処理が行われる。この「目標を追跡している可能性が極めて高い」ことを判定するための条件として、例えば、
・その航跡が残存する全ての仮説に含まれること。
・その航跡を含む仮説の信頼度の和が、あらかじめ設定した閾値を超えること。
が挙げられる。
【００２０】
最後に、ステップＳ１０７の「センサ指示」において、追尾処理で生成された航跡に応じて、センサを向ける方向が決定される。
【００２１】
以上がセンサの１サンプリング時刻分の観測値の装置の処理の流れであり、この１サイクルが終了すると、次の観測値を読み込み、次のサンプリング時刻分の観測値を用いた追尾処理が実行される。
【００２２】
ここで本発明が問題とする、「既追尾目標から複数の目標が分離される」状況とその対処方法について説明する。センサから得られる観測値を利用して目標の軌道である航跡を推定する目標追尾の機能は、
１．未知の目標を探知する、追尾初期化機能
２．既知の目標を追跡する、追尾維持機能
に大別することができる。前者については、各観測値について新たに発生した目標からのものであるとする可能性を考慮する必要があるが、後者については、それが維持対象目標からのものであるかどうかのみを考えればよい。上記に説明した従来の追尾方式でこれらをどの様に実現するかについて説明する。追尾初期化機能では各観測値について新航跡を考慮し、新航跡から更新された仮航跡が確立して本航跡に昇格されることにより目標が探知されたとすればよい。これに対して追尾維持機能では本航跡が始めからあることを仮定しており、各観測値について新航跡を考慮せずに維持対象の本航跡との相関の有無のみを検査する。
【００２３】
追尾維持機能では上記で説明した追尾方式の中で、ゲート内判定行列、航跡相関行列を作る際、新航跡に相当する列が不要となる。しかし遠方からセンサに近づく複数目標を観測する場合、センサの分解能が原因で遠方では１目標として観測されていたものが、ある時点から複数の目標として観測されるという場合が起こる。この様な目標を追尾維持対象とする場合、維持対象目標から一つ、または、それ以上の別目標が分離され、それらと元の既追尾目標全てを追尾しなければならない。この様な場合、上記の追尾維持機能を適用すると、追尾維持機能のみでは、分離された目標のどれか一つのみしか追尾できない。
【００２４】
また、追尾維持および初期化の両機能を備えた追尾方式では、分離された目標のうちのどれか一つを既追尾目標、他を新目標として扱う。新航跡として開始した航跡は仮航跡から成長して本航跡に昇格する。図１５に、分離目標を追尾維持および初期化の両機能を備えた追尾方式で追尾した際の観測値と航跡例を示す。この方式により、分離発生した目標の全てを追尾することが可能である。しかし目標が分離発生した直後では、既追尾目標の本航跡と分離発生目標の仮航跡の間で、観測値との相関判定結果に応じた航跡が数多く生成される。この追尾開始は既存の本航跡と仮航跡の相関が定まらず、特定の仮航跡を早期に確定させることが困難となる。
【先行技術文献】
【特許文献】
【００２５】
【特許文献１】特開平８−２７１６１７号公報
【発明の概要】
【発明が解決しようとする課題】
【００２６】
目標の分離直後、既追尾目標と分離発生目標が極めて近接して、得られる観測値は図１６の様に間隔がセンサの観測誤差の数倍程度の状況が続く。この状況では従来技術では、図１７の様に、あるサンプリング時刻において、本体を追尾する本航跡が分離発生目標の観測値と相関したり、分離発生目標を追尾する仮航跡が本体の観測値と相関する仮説が数多く生成される。また、センサの探知抜けや不要信号の存在を仮定するため、仮航跡が１つも生成されない仮説（図１７における仮説４がその例である）や、仮航跡が２個以上存在する仮説も生成される。これらの仮説の信頼度が同程度となり、特定の仮航跡の信頼度が上がらず、結果として特定の分離発生目標を追尾する仮航跡を早期に確定させることが困難となってしまう。すなわち、従来方式においては、時間が経過して、二つの目標が離れるまで、目標航跡を確立することができないという問題点があった。
【００２７】
本発明は、かかる問題点を解決するためになされたものであり、多目標相関決定追尾処理と並行して目標数推定を行って、分離目標の存在が確認されたら、多目標相関決定追尾処理で生成された仮航跡群から最も確度の高い航跡を抽出して確立させることによって、早期にかつ正確に目標航跡を確立させることが可能な多目標追尾装置を得ることを目的としている。
【課題を解決するための手段】
【００２８】
この発明は、目標を観測するセンサから得られた観測値を使って目標を追尾するための多目標追尾装置であって、目標と観測値の対応を決定し、目標に対応付けられた観測値を用いて目標の運動諸元を推定して、仮航跡を生成する多目標相関決定追尾処理部と、上記多目標相関決定追尾処理部によって得られた仮航跡のうち、確度の高い航跡を抽出することにより、未知の目標の航跡を確立する航跡確立判定部と、センサから得られたサンプリング時刻毎の観測値の数の履歴から目標数に関する仮説を立て、その信頼度を計算することによって観測領域に存在する目標の数を推定する目標数推定部と、上記目標数推定部によって計算された目標数に関する仮説の信頼度によって、観測領域における目標数を決定する目標数確定判定部と、上記目標数確定判定部によって目標数が決定されたときに、その数に応じて上記多目標相関決定追尾処理部の仮航跡の候補を抽出し、抽出された候補の最新の平滑値の尤度を過去数サンプリング時刻分の観測値に対して計算し、最も尤度が大きい仮航跡を選択して航跡を確立する航跡確立再判定部と、上記多目標相関決定追尾処理部が生成した仮航跡のうちの既存の確立航跡と、上記航跡確立判定部または上記航跡確立再判定部によって新たに確立した航跡の予測位置とに、上記センサを向ける様に、上記センサに対して指示を行うセンサ指示部とを備えた多目標追尾装置である。
【発明の効果】
【００２９】
この発明は、目標を観測するセンサから得られた観測値を使って目標を追尾するための多目標追尾装置であって、目標と観測値の対応を決定し、目標に対応付けられた観測値を用いて目標の運動諸元を推定して、仮航跡を生成する多目標相関決定追尾処理部と、上記多目標相関決定追尾処理部によって得られた仮航跡のうち、確度の高い航跡を抽出することにより、未知の目標の航跡を確立する航跡確立判定部と、センサから得られたサンプリング時刻毎の観測値の数の履歴から目標数に関する仮説を立て、その信頼度を計算することによって観測領域に存在する目標の数を推定する目標数推定部と、上記目標数推定部によって計算された目標数に関する仮説の信頼度によって、観測領域における目標数を決定する目標数確定判定部と、上記目標数確定判定部によって目標数が決定されたときに、その数に応じて上記多目標相関決定追尾処理部の仮航跡の候補を抽出し、抽出された候補の最新の平滑値の尤度を過去数サンプリング時刻分の観測値に対して計算し、最も尤度が大きい仮航跡を選択して航跡を確立する航跡確立再判定部と、上記多目標相関決定追尾処理部が生成した仮航跡のうちの既存の確立航跡と、上記航跡確立判定部または上記航跡確立再判定部によって新たに確立した航跡の予測位置とに、上記センサを向ける様に、上記センサに対して指示を行うセンサ指示部とを備えた多目標追尾装置であるので、多目標相関決定追尾処理と並行して目標数推定を行って、分離目標の存在が確認されたら、多目標相関決定追尾処理で生成された仮航跡群から最も確度の高い航跡を抽出して確立させることによって、早期にかつ正確に目標航跡を確立させることができる。
【図面の簡単な説明】
【００３０】
【図１】本発明の実施の形態１に係る多目標追尾装置の構成を示した構成図である。
【図２】本発明の実施の形態１に係る多目標追尾装置の処理の流れを示したフローチャートである。
【図３】本発明の実施の形態２に係る多目標追尾装置の構成を示した構成図である。
【図４】本発明の実施の形態２に係る多目標追尾装置の処理の流れを示したフローチャートである。
【図５】本発明の実施の形態３に係る多目標追尾装置の構成を示した構成図である。
【図６】本発明の実施の形態３に係る多目標追尾装置の処理の流れを示したフローチャートである。
【図７】本発明の実施の形態４に係る多目標追尾装置の構成を示した構成図である。
【図８】本発明の実施の形態４に係る多目標追尾装置の処理の流れを示したフローチャートである。
【図９】従来の多目標追尾装置の構成を示した構成図である。
【図１０】従来の多目標追尾装置の処理の流れを示したフローチャートである。
【図１１】従来の多目標追尾装置におけるｔ＝２までの観測値処理終了時の例を示した説明図である。
【図１２】従来の多目標追尾装置における航跡および新クラスタの作成ステップ終了時の例を示した説明図である。
【図１３】従来の多目標追尾装置における観測値と航跡の相関の例を示した説明図である。
【図１４】従来の多目標追尾装置におけるゲート内判定行列と航跡相関行列の例を示した説明図である。
【図１５】従来の多目標追尾装置における分離目標を追尾する例を示した説明図である。
【図１６】従来の多目標追尾装置における２つの航跡と４サンプリング時刻分の観測値の例を示した説明図である。
【図１７】従来の多目標追尾装置が生成した仮設の例を示した説明図である。
【発明を実施するための形態】
【００３１】
実施の形態１．
以下、本発明の実施の形態１に係る多目標追尾装置について説明を行う。図１は、その装置構成図である。図１において、１は航跡確立判定部、２はセンサ指示部、３は目標数推定部、４は目標数確定判定部、５は航跡確立再判定部、７は多目標相関決定追尾処理部、８はセンサである。
【００３２】
多目標相関決定追尾処理部７は、目標と観測値の対応を決定し、目標に対応付けられた観測値を用いて目標の運動諸元を推定して、仮航跡を生成するものである。多目標相関決定追尾処理部７は、既存の従来の多目標追尾装置で構成することができ、例えば、従来技術の例である図９の構成から、センサ１１０と、航跡確立判定部１０８と、センサ指示部１０９とを除いた、残りの部分２００で実現することができる。
【００３３】
また、航跡確立判定部１は、多目標相関決定追尾処理部７によって得られた仮航跡のうち、確度の高い航跡を抽出することにより、未知の目標の航跡を確立するものである。
【００３４】
目標数推定部３は、センサから得られたサンプリング時刻毎の観測値の数の履歴から目標数に関する仮説を立て、その信頼度を計算することによって観測領域に存在する目標の数を推定するものである。
【００３５】
目標数確定判定部４は、目標数推定部３によって計算された目標数に関する仮説の信頼度によって、観測領域における目標数を決定するものである。
【００３６】
航跡確立再判定部５は、目標数確定判定部４によって目標数が決定されたときに、その数に応じて多目標相関決定追尾処理部７の仮航跡の候補を抽出し、抽出された候補の最新の平滑値の尤度を過去数サンプリング時刻分の観測値に対して計算し、最も尤度が大きい仮航跡を選択して航跡を確立するものである。
【００３７】
センサ指示部２は、多目標相関決定追尾処理部７が生成した仮航跡のうちの既存の確立航跡と、航跡確立判定部１または航跡確立再判定部５によって新たに確立した航跡の予測位置とに、センサ８を向ける様に、センサ８に対して指示を行うものである。
【００３８】
なお、図１に示した、航跡確立判定部１とセンサ指示部２とは、それぞれ、従来技術の図９の航跡確立判定部１０８とセンサ指示部１０９と同等の動作を行うものである。
【００３９】
本実施の形態における追尾処理の手順を図２に示す。この図は１サンプリング時刻の観測値の処理を示しており、サンプリング時刻毎にこの処理が繰り返される。以下、このフローチャートに従って追尾処理を説明する。
【００４０】
まず、ステップＳ００の「観測値入力」において、多目標相関決定追尾処理部７が、最新のサンプリング時刻における観測値を、センサ８から読み込む。
【００４１】
次のステップＳ０１の「多目標相関決定追尾処理」では、多目標相関決定追尾処理部７が、上述した従来の追尾処理を行う。これは、図１０における、ステップＳ１０１の「ゲート内判定」からステップＳ１０５の「準最適化とクラスタ分離」までの処理と同等である。したがって、ここでは、その説明を省略する。
【００４２】
このステップＳ０１の「多目標相関決定追尾処理」の後には、ステップＳ０２の「航跡確立判定」を行う。このステップＳ０２の「航跡確立判定」では、航跡確立判定部１が、航跡の確立判定処理を行うが、これは、図１０における、ステップＳ１０６の「航跡確立判定」の処理と同等であるため、これについても、ここでは説明を省略する。
【００４３】
また、ステップＳ０１の「多目標相関決定追尾処理」およびステップＳ０２の「航跡確立判定」の処理と並行して、ステップＳ０３の「目標数推定」およびステップＳ０４の「目標数確定判定」の処理を実行する。
【００４４】
ステップＳ０３の「目標数推定」の処理では、目標数推定部３が、目標数に関する仮説を生成し、その信頼度を各サンプリング時刻の観測値数に応じて計算する。この目標数に関する仮説は以下のＮｍａｘ個である。
【００４５】
・目標数は１である（目標は１回も分離していない）。
・目標数は２である（目標は１回分離した）。
・目標数は３である（目標は２回分離した）。
・・・・・・
・目標数はＮｍａｘである（目標は（Ｎｍａｘ−１）回、分離した）。
【００４６】
このＮｍａｘ個の目標数に関する仮説の信頼度を、サンプリング時刻毎に、以下に説明する様にして計算する。なお、最初に追尾維持を始めた時点での初期値を以下とする。
【００４７】
【数１】
2011145096.tif 000003
【００４８】
ここで、ＰＮｋは「ｋ番目のサンプリング時刻における目標数がＮである。」とする目標数に関する仮説の信頼度である。また、Ｎｍａｘは、事前に設定する最大目標数を示すパラメータであり、追尾対象に応じて決定する。ｋが１以上の場合、各々の目標数に関する仮説の信頼度は１サンプリング時刻前のｋ−１番目のサンプリング時刻の目標数に関する仮説の信頼度を用いて、以下の式（２）により計算する。
【００４９】
【数２】
2011145096.tif 000004
【００５０】
ここで、式（２）に現れる記号の意味は次の通りである。ＮＴＧＴｋはｋ番目のサンプリング時刻における目標数である。ｍｋは、ｋ番目のサンプリング時刻において、センサ８より得られた観測値の数である。また、Ｍｋ＝｛ｍ０，ｍ１，ｍ２，・・・，ｍｋ｝はｋ番目のサンプリング時刻までの観測値数の列である。ｃは、式（２）の２段目をベイズの定理により展開して得られる、目標数に関する仮説に依存しない定数である。また、ρは、１サンプリング時刻毎の目標分離確率を示すパラメータであり、追尾目標対象に応じて事前に設定される値である。
【００５１】
このρは、常に一定の値としても良いが、以下に説明する様に、目標数推定の状況に応じて動的に変えても良い。例えば、あらかじめ分離発生する目標の数がｎsplitであることが分かっており、各々の分離確率が分離する順にρ１，ρ２，・・・，ρｎsplitであるとする。このとき、追尾維持を始めた時点の目標分離確率ρは、以下の式（３）で与えられる。
【００５２】
【数３】
2011145096.tif 000005
【００５３】
式（３）の目標分離確率は、目標数が１と確定されている間に適用する。この確定目標数は、後述するステップＳ０４の「目標数確定判定」の処理で確定される。あるサンプリング時刻で１目標が分離し、目標数が２となったとことが確定したとする。このとき、目標分離確率は以下の式（４）となる。
【００５４】
【数４】
2011145096.tif 000006
【００５５】
また、目標数がｎＴＧＴと確定された場合の目標分離確率は以下となる。
【００５６】
【数５】
2011145096.tif 000007
【００５７】
式（２）の最終段は３つの項より成り立つが、第１項は定数であるため、Ｎｍａｘ個の目標数に関する仮説の信頼度の和が１．０となる様に正規化することによって計算する。第３項は、１サンプリング時刻前の仮説の信頼度と、事前設定のパラメータρにより計算できる。また、第２項の計算方法は、以下の式（６）の通りである。
【００５８】
【数６】
2011145096.tif 000008
【００５９】
式（６）に現れる記号の意味は次の通りである。ｐＤは探知確率、βＦＴは不要信号密度であり、センサの観測性能や気候等の観測条件に応じて事前に設定するパラメータである。Ｖは観測領域の体積であり、例えば、センサ８がレーダである場合は、ビーム幅と観測距離の最小値と最大値によって決まる値である。また、ＮＤＴは、存在するＮ目標のうち、ｋ番目のサンプリング時刻でセンサによって探知された目標数であり、０からＮまでの値を取り得る。以上によって得られた式（６）を式（２）に代入して最新の第ｋサンプリング時刻の仮説の信頼度ＰＮｋを計算する。
【００６０】
次のステップＳ０４の「目標数確定判定」では、目標数確定判定部４が、前ステップＳ０３の「目標数推定」によって得られた目標数に関する仮説の状況に応じて、目標数が確定したか否かを判定する。この判定方法としては、以下の式（７）が成り立った場合に確定、成り立たない場合に不確定とする。
【００６１】
【数７】
2011145096.tif 000009
【００６２】
ここで、ｒｅｌｔｈは、目標数確定判定のための目標数に関する仮説の信頼度の閾値であり、事前に設定するパラメータである。すなわち、最良の目標数に関する仮説の信頼度が閾値ｒｅｌｔｈを超えた場合に、目標数が確定したと判定する。
【００６３】
次に、ステップＳ０５の「目標数確定か？」判定処理で、ステップＳ０４の「目標数確定判定」で目標数が確定したか否かを判定する。確定していれば、ステップＳＳ０６に進む。
【００６４】
ステップＳ０６の「確立航跡数が目標数確定値と一致するか？」判定処理では、多目標相関決定追尾処理部７で生成された確立航跡数がその確定目標数と一致したか否かを判定する。一致していなければ、ステップＳ０７に進む。
【００６５】
このようにして、ステップＳ０５の判定処理で、目標数が確定していると判定され、ステップＳ０６の判定処理で、追尾処理を行っている確立航跡数がその確定目標数と一致しないと判定された場合、ステップＳ０７の「目標運動仮説選択」に移行する。一方、ステップＳ０５の判定処理で目標数が確定していないと判定されるか、あるいは、ステップＳ０６の判定処理で確率航跡数と確定目標数とが一致すると判定された場合は、ステップＳ０９の「センサ指示」に移行し、この時点で第ｋサンプリング時刻の観測値の処理は終了する。
【００６６】
ステップＳ０７の「目標運動仮説選択」では、多目標相関決定追尾処理部７が、目標運動に関する仮説のうち、本航跡の数と仮航跡の数との和が確定目標数と一致する仮説のみを選択し、一致しない仮説を削除する。確定目標数が２であるとすると、図１７の仮説のうち、仮説１，２は本航跡数が１で仮航跡数が１であるから確定目標数と一致するが、仮説３は本航跡数が１で仮航跡数は２なので確定目標数よりも多い目標の存在を仮定し、仮説４は本航跡数が１で仮航跡はないので確定目標数よりも少ない目標の存在を仮定している。従って、このステップでは仮説１，２を選択し、仮説３，４は削除する。
【００６７】
次のステップＳ０８の「尤度に基づく航跡選択」では、航跡確立再判定部５が、全ステップで選択された目標運動仮説の各々の仮航跡の尤度を計算する。この尤度は、各仮航跡の最新の平滑値を過去Ｎｂａｃｋサンプリング時刻分の観測値を用いて計算する。各観測値については、その仮航跡の平滑値を過去に遡って、その観測値のサンプリング時刻における予測値を追尾フィルタの運動モデルに基づいて算出し、観測位置とその予測値の差分から観測モデルに基づいて尤度を計算する。このステップＳ０８で計算した最も高い尤度を実現する仮航跡を、確立させる。この尤度は過去誤相関を起こしたために運動モデルに合致しない仮航跡ほど小さくなることが期待できるので、結果として正しい相関による仮航跡を確立することができる。
【００６８】
最後のステップＳ０９の「センサ指示」では、センサ指示部２が、センサ８の向きが、最新サンプリング時刻の確立航跡の予測位置に向く様に、センサ８に指示を出力する。
【００６９】
以上が、本実施の形態に係る多目標追尾装置の動作説明である。
【００７０】
以上のように、本実施の形態で説明した多目標追尾装置によれば、センサ８から得られたサンプリング時刻毎の観測値の数の履歴から目標数に関する仮説を立て、その信頼度を計算することによって観測領域に存在する目標の数を推定する目標数推定部３と、目標数推定部３によって計算された目標数に関する仮説の信頼度によって、観測領域における目標数を決定する目標数確定判定部４と、目標数確定判定部４によって目標数が決定されたら、その数に応じて、多目標相関決定追尾処理部７の仮航跡の候補を抽出し、抽出された候補の最新の平滑値の尤度を過去数サンプリング時刻分の観測値に対して計算し、最も尤度が大きい仮航跡を選択して航跡を確立する航跡確立再判定部５を備え、従来の多目標相関決定追尾処理と並行して、目標数推定を行って、分離目標の存在が確認されたら、多目標相関決定追尾処理で生成された仮航跡群から最も確度の高い航跡を抽出して確立させるようにしたので、目標分離直後の複数目標が近接している状況で、従来の多目標相関決定追尾処理では確立できなかった目標航跡を早期にかつ正確に確立することができる。
【００７１】
実施の形態２．
以下、本発明の実施の形態２に係る多目標追尾装置について説明を行う。図３は、その装置構成図である。図１との構成の違いは、図３においては、多重サンプリング航跡再構成部６が追加されている点である。他の構成については、図１と同じであるため、同一符号を付して示し、ここでは説明を省略する。
【００７２】
多重サンプリング航跡再構成部６は、航跡確立再判定部５が選択した目標航跡の最新の平滑値の尤度が低い場合は、多目標相関決定追尾処理部７が生成した仮航跡を全て破棄し、過去数サンプリングの観測値から航跡を再構成して、再構成によって生成された航跡の中から航跡を選択することによって航跡を確立するものである。
【００７３】
本実施の形態における追尾処理の手順を図４に示す。以下、この図４のフローチャートに従って説明する。図４において、ステップＳ００の「観測値入力」からステップＳ０７の「目標運動仮説選択」までの処理内容は、図２に示した実施の形態１の処理と同様である。従って、ここでは、その説明を省略する。
【００７４】
次のステップＳ０８の「尤度に基づく航跡選択」では、航跡確立再判定部５が、前ステップＳ０７で選択された目標運動仮説の各々の仮航跡の尤度を計算する。この尤度は、各仮航跡の最新の平滑値を過去Ｎｂａｃｋサンプリング時刻分の観測値を用いて計算する。各観測値について、その仮航跡の平滑値を過去に遡って、その観測値のサンプリング時刻における予測値を追尾フィルタの運動モデルに基づいて算出し、観測位置とその予測値の差分から観測モデルに基づいて尤度を計算する。次に、航跡確立再判定部５は、計算した尤度のうち、最も高い尤度を実現する仮航跡を選択する。
【００７５】
次に、ステップＳ２１の「抽出された航跡の尤度が閾値を超える？」判定処理において、航跡確立再判定部５が選択した仮航跡の尤度が閾値を越えているか否かを判定する。超えていたら、その航跡を確立させ、ステップＳ０９の「センサ指示」に移行する。この閾値は事前に設定するパラメータであり、確度が低過ぎる航跡の確立を防止する役目を有する。一方、航跡確立再判定部５が選択した仮航跡の尤度が閾値よりも低い場合は、ステップＳ２２の「多重サンプリング航跡再構成」に移行する。
【００７６】
次のステップＳ２２の「多重サンプリング航跡再構成」では、多重サンプリング航跡再構成部６が、多目標相関決定追尾処理部７が生成した航跡を全て破棄し、Ｎｂａｃｋサンプリング時刻分の観測値を用いて航跡を再構成して、再構成によって生成された航跡の中から航跡を選択することによって航跡を確立する。この再構成における、複数サンプリング時刻に渡る航跡生成技術については、既知の方法を用いることとし、例えば、文献：A.B.Poore and A.J.Robertson著、“A New Multi-dimensional Data Association Algorithm for Multisensor- Multitarget Tracking”、(Proc. Of SPIE vol.2561、1995)において、その一例の詳細が記述されているので、そちらを参照することとする。
【００７７】
最後のステップＳ０９の「センサ指示」では、センサ指示部２が、センサ８の向きが、最新サンプリング時刻の確立航跡の予測位置に向く様に、センサ８に指示を出力する。
【００７８】
以上のように、本実施の形態によれば、上記の実施の形態１と同様に、目標分離直後の複数目標が近接している状況で、従来の多目標相関決定追尾処理では確立できなかった目標航跡を、早期にかつ正確に確立することができる。さらに、本実施の形態においては、航跡確立再判定部５が選択した目標航跡の最新の平滑値の尤度が低い場合に、多目標相関決定追尾処理部７が生成した航跡を全て破棄し、過去数サンプリングの観測値から航跡を再構成して、再構成によって生成された航跡の中から航跡を選択することによって航跡を確立する多重サンプリング航跡再構成部６を設けるようにしたので、多目標相関決定追尾処理によって生成された航跡の中に正しい相関結果による航跡が含まれない場合でも、目標航跡を早期にかつ正確に確立することができる。
【００７９】
実施の形態３．
以下、本発明の実施の形態３に係る多目標追尾装置について説明を行う。図５は、その装置構成図である。図１の構成との違いは、図５においては、図１に示した、航跡確立再判定部５が設けられていない点である。また、本実施の形態においては、多目標相関決定追尾処理部７が、目標と観測値の対応を決定し、目標に対応付けられた観測値を用いて目標の運動諸元を推定するだけでなく、目標に対応付けられた観測値を用いて目標の運動諸元を推定する際のパラメータを、目標数確定判定部４によって確定した目標数に応じて変更するようにした点も、図１と異なる。他の構成については、図１と同じであるため、同一符号を付して示し、ここでは説明を省略する。
【００８０】
本実施の形態における追尾処理の手順を図６に示す。以下、この図６のフローチャートに従って説明する。図６において、ステップＳ００の「観測値入力」からステップＳ０６の「確立航跡数が目標数確定値と一致するか？」判定処理までの処理内容は、実施の形態１と同様である。従って、ここでは、それらのステップについては説明を省略する。
【００８１】
ステップＳ０５およびステップ０６の判定処理の結果、ステップＳ０４の「目標数確定判定」で目標数が確定し、多目標相関決定追尾処理部７が追尾処理を行っている確立航跡数がその確定目標数と一致しないと判定された場合、次のステップ３１の「多目標相関決定追尾処理パラメータ選択」に移行する。一方、ステップＳ０５およびステップ０６の判定処理の結果、目標数が確定していないか、あるいは、確率航跡数と確定目標数が一致すると判定された場合は、ステップＳ０９の「センサ指示」に移行し、この時点で第ｋサンプリング時刻の観測値の処理は終了する。
【００８２】
次のステップＳ３１の「多目標相関決定追尾処理パラメータ選択」では、多目標相関決定追尾処理部７が、まず、目標運動に関する仮説のうち、本航跡の数と仮航跡の数の和が確定目標数と一致する仮説のみを選択し、一致しない仮説を削除する。図１７の例では、確定目標数が２であるとすると、４つの仮説のうち、仮説１，２は本航跡数が１で仮航跡数が１であるから確定目標数と一致するが、仮説３は本航跡数が１で仮航跡数は２なので確定目標数よりも多い目標の存在を仮定し、仮説４は本航跡数が１で仮航跡はないので確定目標数よりも少ない目標の存在を仮定している。従って、このステップでは仮説１，２を選択し、仮説３，４は削除する。この仮説選択の後、更に、航跡統合のパラメータを変更する。この航跡統合は、ステップＳ０１の「多目標相関決定追尾処理」において、過去Ｎscanサンプリング時刻の間の相関内容が一致する航跡を統合するという、良く知られた仮説縮小処理である。本ステップでは、このパラメータＮscanを通常よりも小さい値に再設定することにより、次のサンプリング時刻以降で仮説を限定して航跡確立が起こり易くなる様にする。
【００８３】
最後のステップＳ０９の「センサ指示」では、センサ指示部２が、センサ８の向きが、最新サンプリング時刻の確立航跡の予測位置に向く様に、センサ８に指示を出力する。
【００８４】
以上のように、本実施の形態によれば、上記の実施の形態１と同様に、目標分離直後の複数目標が近接している状況で、従来の多目標相関決定追尾処理では確立できなかった目標航跡を早期にかつ正確に確立することができる。また、実施の形態１，２とは異なり、本実施の形態では、航跡確立再判定部５を設けない構成とし、航跡の尤度判定あるいは航跡の再構成処理を行わないため、少ない計算機負荷で実現できる。
【００８５】
実施の形態４．
以下、本発明の実施の形態４に係る多目標追尾装置について説明を行う。図７はその装置構成図である。また、本実施の形態では、基本的に、図５の構成と同じであるが、但し、本実施の形態においては、センサがレーダであることを前提とするため、図５のセンサ８を、図７においては、レーダ８Ａとして示している。また、同様に、図５のセンサ指示部２も、レーダ指示部２Ａとして示し、そこから出力されるセンサ制御指令もレーダ制御指令と呼ぶこととする。また、本実施の形態においては、多目標相関決定追尾処理部７が、目標と観測値の対応を決定し、目標に対応付けられた観測値を用いて目標の運動諸元を推定するだけでなく、目標数確定判定部４によって確定した目標数に応じて検定ビーム照射対象となる仮航跡を決定するようにした。
【００８６】
本実施の形態における追尾処理の手順を図８に示す。以下、この図８のフローチャートに従って説明する。ステップＳ００の「観測値入力」からステップＳ０６の「確立航跡数が目標数確定値と一致するか？」判定処理までの処理内容は、実施の形態１と同様である。
【００８７】
ステップＳ０４の「目標数確定判定」で目標数が確定し、ステップＳ０６の判定処理で、多目標相関決定追尾処理部７が追尾処理を行っている確立航跡数がその確定目標数と一致しないと判定された場合、次のステップＳ４１の「検定ビーム対象仮航跡選択」に移行する。一方、ステップＳ０５，Ｓ０６の判定処理で、目標数が確定していないか、あるいは、確立航跡数と確定目標数が一致すると判定された場合には、この時点で第ｋサンプリング時刻の観測値の処理は終了する。
【００８８】
次のステップＳ４１の「検定ビーム対象仮航跡選択」では、多目標相関決定追尾処理部７が、まず、目標運動に関する仮説のうち、本航跡の数と仮航跡の数との和が確定目標数と一致する仮説のうち、最も信頼度が高いものを選択し、選択された仮説に含まれる仮航跡を検定ビーム照射対象航跡とする。例えば、確定目標数が２であるとすると、図１７の例では、４つの仮説のうち、仮説１，２は本航跡数が１で仮航跡数が１であるから確定目標数と一致する。信頼度は仮説１の方が高いため、この仮説１に含まれる仮航跡を検定ビーム照射対象航跡とする。
【００８９】
上記の検定ビーム対象仮航跡選択では、本航跡の数と仮航跡の数の和が確定目標数と一致する仮説の全て選択し、検定ビームの照射位置としては、それらの仮説の全ての仮航跡の予測値の重心位置としてもよい。図１７の仮説の例では仮説１に含まれる仮航跡と仮説２に含まれる仮航跡の予測値の重心の位置を検定ビームの照射位置とする。
【００９０】
最後のステップＳ０９Ａの「レーダ指示」では、レーダ指示部２Ａが、レーダ８Ａの向きが最新サンプリング時刻の確立航跡の予測位置に向く様に、レーダ８Ａに指示を出力して、当該予測位置にレーダ８Ａを向けさせ、さらに検定ビーム照射対象航跡の予測位置、あるいは、複数の対象航跡の予測値の重心に向かって検定ビームを撃つ様に、レーダ８Ａに指示を出力する。
【００９１】
以上のように、本実施の形態によれば、実施の形態１と同様に、目標分離直後の複数目標が近接している状況で、従来の多目標相関決定追尾処理では確立できなかった目標航跡を早期にかつ正確に確立することができる。また、本実施の形態においては、センサをレーダから構成して、検定ビームを照射して航跡確立を早め、さらに、実施の形態１，２とは異なり、本実施の形態では、実施の形態３と同様に、航跡確立再判定部５を設けない構成とし、航跡の尤度判定あるいは航跡の再構成処理を行わないため、少ない計算機負荷で実現できる。
【符号の説明】
【００９２】
１  航跡確立判定部、２  センサ指示部、２Ａ  レーダ指示部、３  目標数推定部、４  目標数確定判定部、５  航跡確立再判定部、６  多重サンプリング航跡再構成部、７  多目標相関決定追尾処理部、８  センサ、８Ａ  レーダ。
【図１】
2011145096.tif 000010
【図２】
2011145096.tif 000011
【図３】
2011145096.tif 000012
【図４】
2011145096.tif 000013
【図５】
2011145096.tif 000014
【図６】
2011145096.tif 000015
【図７】
2011145096.tif 000016
【図８】
2011145096.tif 000017
【図９】
2011145096.tif 000018
【図１０】
2011145096.tif 000019
【図１１】
2011145096.tif 000020
【図１２】
2011145096.tif 000021
【図１３】
2011145096.tif 000022
【図１４】
2011145096.tif 000023
【図１５】
2011145096.tif 000024
【図１６】
2011145096.tif 000025
【図１７】
2011145096.tif 000026